(57)【特許請求の範囲】
【請求項１】
外箱と、
上記外箱内に配置され、被乾燥物を収容する収容槽と、
上記被乾燥物を乾燥させるために上記収容槽内に供給する空気を加熱する加熱部と、
上記空気を上記収容槽内へ流す送風部と、
上記空気が流れる流路に設けられ、上記空気の温度を検知する温度検知部と、
上記温度検知部の検知結果に基づいて、上記被乾燥物を乾燥させる乾燥運転を実行する制御部と、
少なくとも一部が上記温度検知部の上流側に設けられ、上記温度検知部上に異物が堆積するのを防ぐ異物堆積防止部と
を備え、
上記異物堆積防止部において上記温度検知部よりも上流側の部分は、上記温度検知部よりも高さが低くなっているか、または、上記温度検知部よりも幅が狭くなっていることを特徴とする乾燥機。
【請求項２】
請求項１に記載の乾燥機において、
上記異物堆積防止部は上記温度検知部に接触していることを特徴とする乾燥機。
【請求項３】
請求項２に記載の乾燥機において、
上記異物堆積防止部は、防錆性を有する金属からなっていることを特徴とする乾燥機。
【請求項４】
請求項１から３までのいずれか一項に記載の乾燥機において、
上記異物堆積防止部は上記温度検知部に対して着脱可能であることを特徴とする乾燥機。
【請求項５】
請求項１から４までのいずれか一項に記載の乾燥機において、
上記異物堆積防止部において上記温度検知部よりも上流側の部分は、上記温度検知部から上流側にいくにしたがって幅が狭くなることを特徴とする乾燥機。
【請求項６】
請求項１から５までのいずれか一項に記載の乾燥機において、
上記異物堆積防止部の上流側の端部にアールが付いていることを特徴とする乾燥機。
【請求項７】
外箱と、
上記外箱内に配置された水槽と、
上記水槽内に回転自在に配置され、洗濯物を収容する回転槽と、
上記洗濯物を乾燥させるために上記回転槽内に供給する空気を加熱する加熱部と、
上記空気を上記回転槽内へ流す送風部と、
上記空気が流れる流路に設けられ、上記空気の温度を検知する温度検知部と、
上記温度検知部の検知結果に基づいて、上記洗濯物を乾燥させる乾燥運転を実行する制御部と、
少なくとも一部が上記温度検知部の上流側に設けられ、上記温度検知部上に異物が堆積するのを防ぐ異物堆積防止部と
を備え、
上記異物堆積防止部において上記温度検知部よりも上流側の部分は、上記温度検知部よりも高さが低くなっているか、または、上記温度検知部よりも幅が狭くなっていることを特徴とする洗濯乾燥機。
【請求項８】
請求項７に記載の洗濯乾燥機において、
上記異物堆積防止部は上記温度検知部に接触していることを特徴とする洗濯乾燥機。
【請求項９】
請求項８に記載の洗濯乾燥機において、
上記異物堆積防止部は、防錆性を有する金属からなっていることを特徴とする洗濯乾燥機。
【請求項１０】
請求項７から９までのいずれか一項に記載の洗濯乾燥機において、
上記異物堆積防止部は上記温度検知部に対して着脱可能であることを特徴とする洗濯乾燥機。
【請求項１１】
請求項７から１０までのいずれか一項に記載の洗濯乾燥機において、
上記異物堆積防止部において上記温度検知部よりも上流側の部分は、上記温度検知部から上流側にいくにしたがって幅が狭くなることを特徴とする洗濯乾燥機。
【請求項１２】
請求項７から１１までのいずれか一項に記載の洗濯乾燥機において、
上記異物堆積防止部の上流側の端部にアールが付いていることを特徴とする洗濯乾燥機。
【請求項１３】
請求項７から１２までのいずれか一項に記載の洗濯乾燥機において、
上記異物堆積防止部は、上記水槽内に供給される洗濯水に浸かるように配置されていることを特徴とする洗濯乾燥機。
【請求項１４】
請求項１３に記載の洗濯乾燥機において、
上記送風部は、上記水槽内に供給される洗濯水に浸かるように配置されて、上記洗濯水に水流を発生させることを特徴とする洗濯乾燥機。
【請求項１５】
請求項１３に記載の洗濯乾燥機において、
上記水槽内に供給された洗濯水に水流を発生させる水流発生部を備えたことを特徴とする洗濯乾燥機。
【請求項１６】
請求項１４または１５に記載の洗濯乾燥機において、
上記制御部は、上記水流の流れ方向が正方向から逆方向に切り替わるための制御を行うことを特徴とする洗濯乾燥機。
【発明の詳細な説明】
【技術分野】
【０００１】
本発明は乾燥機および洗濯乾燥機に関する。
【背景技術】
【０００２】
従来、家庭用の洗濯乾燥機は、水槽と、この水槽内に回転自在に配置された回転槽と、水槽外に配置された送風部とを備えている。この洗濯乾燥機では、乾燥運転時、送風部が吹き出した空気が、加熱部で加熱されて高温となって回転槽内に入る。これにより、上記高温の空気が回転槽内の洗濯物に当たり、その結果、洗濯物が乾燥する。
【０００３】
上記加熱部から回転槽に高温の空気を案内する流路には、温度検知部が設けられていている。この温度検知部の出力は制御部に送られ、そして、制御部が、温度検知部の出力に基づき、加熱部の出力を制御する。これにより、適切な温度の空気が洗濯物に当たるようになっている。
【０００４】
ところで、上記加熱部から回転槽に向かって流れる空気には、衣類から発生する糸屑等の異物が混じっている。このため、上記異物が温度検知部に付着、堆積してしまう。こうなると、上記異物の断熱効果により、温度検知部が流路内の空気の温度を正確にできなくなり、エラーが発生して、乾燥運転ができなくなるという問題があった。
【０００５】
この問題は、例えば特開平７−３１７８２号公報（特許文献１）で解決が図られている。より詳しくは、特許文献１の洗濯乾燥機では、温度検知部の上流側に遮蔽板を設けて、回転槽内に向かう空気が温度検知部に当たらないようにしている。これにより、上記空気中の異物も温度検知部に当たらないようにして、温度検知部への異物の付着、堆積を防ごうとしている。
【０００６】
しかしながら、上記特許文献１の洗濯乾燥機では、回転槽内に向かう空気が温度検知部に当たらないので、その空気の温度を温度検知部で正確に検知することが困難になるという問題がある。
【特許文献１】特開平７−３１７８２号公報（図２）
【発明の開示】
【発明が解決しようとする課題】
【０００７】
そこで、本発明の課題は、温度検知部への異物の付着、堆積を防ぐことができて、温度検知部の検知が不正確になるのを防ぐことができる乾燥機および洗濯乾燥機を提供することにある。
【課題を解決するための手段】
【０００８】
上記課題を解決するため、本発明の乾燥機は、
外箱と、
上記外箱内に配置され、被乾燥物を収容する収容槽と、
上記被乾燥物を乾燥させるために上記収容槽内に供給する空気を加熱する加熱部と、
上記空気を上記収容槽内へ流す送風部と、
上記空気が流れる流路に設けられ、上記空気の温度を検知する温度検知部と、
上記温度検知部の検知結果に基づいて、上記被乾燥物を乾燥させる乾燥運転を実行する制御部と、
少なくとも一部が上記温度検知部の上流側に設けられ、上記温度検知部上に異物が堆積するのを防ぐ異物堆積防止部と
を備え、
上記異物堆積防止部において上記温度検知部よりも上流側の部分は、上記温度検知部よりも高さが低くなっているか、または、上記温度検知部よりも幅が狭くなっていることを特徴としている。
【０００９】
上記構成の乾燥機によれば、上記異物堆積防止部の少なくとも一部が温度検知部の上流側に設けられているので、収容槽内へ向かう空気の大部分は異物堆積防止部によって流れる方向が変わる。
【００１０】
したがって、上記収容槽内へ向かう空気の大部分が温度検知部に接触し難くなるので、その空気中の異物が温度検知部上に堆積するのを防ぐことができる。
【００１１】
また、上記異物堆積防止部において温度検知部よりも上流側の部分は、温度検知部よりも高さが低くなっているか、または、温度検知部よりも幅が狭くなっているので、収容槽内へ向かう空気の一部が温度検知部に当たる。
【００１２】
したがって、上記温度検知部によって収容槽内へ向かう空気の温度を正確に検出することができる。すなわち、上記温度検知部の検知が不正確になるのを防ぐことができる。
【００１３】
一実施形態の乾燥機では、
上記異物堆積防止部は上記温度検知部に接触している。
【００１４】
上記実施形態の乾燥機によれば、上記異物堆積防止部は温度検知部に接触しているので、収容槽内へ向かう空気の温度は異物堆積防止部を介して温度検知部に伝わる。
【００１５】
したがって、上記温度検知部によって収容槽内へ向かう空気の温度をより正確に検出することができる。
【００１６】
一実施形態の乾燥機では、
上記異物堆積防止部は、防錆性を有する金属からなっている。
【００１７】
上記実施形態の乾燥機によれば、上記異物堆積防止部は、防錆性の金属で構成されているので、収容槽内へ向かう空気の熱を効率良く温度検知部に伝えることができる。
【００１８】
また、上記金属が防錆性を有するから、異物堆積防止部が錆びるのを防ぐことができる。
【００１９】
一実施形態の乾燥機では、
上記異物堆積防止部は上記温度検知部に対して着脱可能である。
【００２０】
上記実施形態の乾燥機によれば、上記異物堆積防止部は温度検知部に対して着脱可能であるので、温度検知部から取り外すことにより、異物堆積防止部のメンテナンスを容易に行うことができる。
【００２１】
一実施形態の乾燥機では、
上記異物堆積防止部において上記温度検知部よりも上流側の部分は、上記温度検知部から上流側にいくにしたがって幅が狭くなる。
【００２２】
上記実施形態の乾燥機によれば、上記異物堆積防止部において温度検知部よりも上流側の部分は、温度検知部から上流側にいくにしたがって幅が狭くなっているので、上記流路内の空気の流れが異物堆積防止部で乱れるのを防ぐことができる。
【００２３】
一実施形態の乾燥機では、
上記異物堆積防止部の上流側の端部にアールが付いている。
【００２４】
上記実施形態の乾燥機によれば、上記異物堆積防止部の上流側の端部にアールが付いていることによって、流路内を流れる空気中の異物が異物堆積防止部の上流側の端部に引っ掛かり難いので、異物堆積防止部上に異物が堆積するのを抑制することができる。
【００２５】
本発明の洗濯乾燥機は、
外箱と、
上記外箱内に配置された水槽と、
上記水槽内に回転自在に配置され、洗濯物を収容する回転槽と、
上記洗濯物を乾燥させるために上記回転槽内に供給する空気を加熱する加熱部と、
上記空気を上記回転槽内へ流す送風部と、
上記空気が流れる流路に設けられ、上記空気の温度を検知する温度検知部と、
上記温度検知部の検知結果に基づいて、上記洗濯物を乾燥させる乾燥運転を実行する制御部と、
少なくとも一部が上記温度検知部の上流側に設けられ、上記温度検知部上に異物が堆積するのを防ぐ異物堆積防止部と
を備え、
上記異物堆積防止部において上記温度検知部よりも上流側の部分は、上記温度検知部よりも高さが低くなっているか、または、上記温度検知部よりも幅が狭くなっていることを特徴としている。
【００２６】
上記構成の洗濯乾燥機によれば、上記異物堆積防止部の少なくとも一部が温度検知部の上流側に設けられているので、回転槽内へ向かう空気の大部分は異物堆積防止部によって流れる方向が変わる。
【００２７】
したがって、上記回転槽内へ向かう空気の大部分が温度検知部に接触し難くなるので、その空気中の異物が温度検知部上に堆積するのを防ぐことができる。
【００２８】
また、上記異物堆積防止部において温度検知部よりも上流側の部分は、温度検知部よりも高さが低くなっているか、または、温度検知部よりも幅が狭くなっているので、回転槽内へ向かう空気の一部が温度検知部に当たる。
【００２９】
したがって、上記温度検知部によって回転槽内へ向かう空気の温度を正確に検出することができる。すなわち、上記温度検知部の検知が不正確になるのを防ぐことができる。
【００３０】
一実施形態の洗濯乾燥機では、
上記異物堆積防止部は上記温度検知部に接触している。
【００３１】
上記実施形態の洗濯乾燥機によれば、上記異物堆積防止部は温度検知部に接触しているので、回転槽内へ向かう空気の温度は異物堆積防止部を介して温度検知部に伝わる。
【００３２】
したがって、上記温度検知部によって回転槽内へ向かう空気の温度をより正確に検出することができる。
【００３３】
一実施形態の洗濯乾燥機では、
上記異物堆積防止部は、防錆性を有する金属からなっている。
【００３４】
上記実施形態の洗濯乾燥機によれば、上記異物堆積防止部は金属で構成されているので、回転槽内へ向かう空気の熱を効率良く温度検知部に伝えることができる。
【００３５】
また、上記金属が防錆性を有するから、回転槽内へ向かう空気中の水分で異物堆積防止部が錆びるのを防ぐことができる。
【００３６】
一実施形態の洗濯乾燥機では、
上記異物堆積防止部は上記温度検知部に対して着脱可能である。
【００３７】
上記実施形態の洗濯乾燥機によれば、上記異物堆積防止部は温度検知部に対して着脱可能であるので、温度検知部から取り外すことにより、例えば掃除といったメンテナンスを容易に行うことができる。
【００３８】
一実施形態の洗濯乾燥機では、
上記異物堆積防止部において上記温度検知部よりも上流側の部分は、上記温度検知部から上流側にいくにしたがって幅が狭くなる。
【００３９】
上記実施形態の洗濯乾燥機によれば、上記異物堆積防止部において温度検知部よりも上流側の部分は、温度検知部から上流側にいくにしたがって幅が狭くなっているので、回転槽内へ向かう空気の流れが異物堆積防止部で乱れるのを防ぐことができる。
【００４０】
一実施形態の洗濯乾燥機では、
上記異物堆積防止部の上流側の端部にアールが付いている。
【００４１】
上記実施形態の洗濯乾燥機によれば、上記異物堆積防止部の上流側の端部にアールが付いていることによって、上記流路内を流れる空気中の異物が異物堆積防止部の上流側の端部に引っ掛かり難いので、異物堆積防止部上に異物が堆積するのを抑制することができる。
【００４２】
一実施形態の洗濯乾燥機では、
上記異物堆積防止部は、上記水槽内に供給される洗濯水に浸かるように配置されている。
【００４３】
上記実施形態の洗濯乾燥機によれば、仮に、上記異物堆積防止部上に異物が堆積したとしても、水槽内に供給される洗濯水に浸かるように異物堆積防止部を配置しているので、異物堆積防止部上の異物を洗濯水で洗い流すことができる。
【００４４】
一実施形態の洗濯乾燥機では、
上記送風部は、上記水槽内に供給される洗濯水に浸かるように配置されて、上記洗濯水に水流を発生させる。
【００４５】
上記実施形態の洗濯乾燥機によれば、仮に、上記異物堆積防止部上に異物が堆積したとしても、送風部によって洗濯水に水流を発生させることにより、異物堆積防止部上の異物を洗濯水で洗い流すことができる。
【００４６】
一実施形態の洗濯乾燥機は、
上記水槽内に供給された洗濯水に水流を発生させる水流発生部を備えている。
【００４７】
上記実施形態の洗濯乾燥機によれば、仮に、上記異物堆積防止部上に異物が堆積したとしても、水流発生部によって洗濯水に水流を発生させることにより、異物堆積防止部上の異物を洗濯水で洗い流すことができる。
【００４８】
一実施形態の洗濯乾燥機では、
上記制御部は、上記水流の流れ方向が正方向から逆方向に切り替わるための制御を行う。
【００４９】
上記実施形態の洗濯乾燥機によれば、上記制御部の制御によって、水流の流れ方向が正方向から逆方向に切り替わるので、異物堆積防止部の異物に対して異なる２方向の力がかかり、その結果、異物堆積防止部から異物を除去する効果を高めることができる。
【発明の効果】
【００５０】
本発明の乾燥機によれば、異物堆積防止部の少なくとも一部が温度検知部の上流側に設けられているので、収容槽内へ向かう空気の大部分は異物堆積防止部によって流れる方向が変わる。
【００５１】
したがって、上記収容槽内へ向かう空気の大部分が温度検知部に接触し難くなるので、その空気中の異物が温度検知部上に堆積するのを防ぐことができる。
【００５２】
また、上記異物堆積防止部において温度検知部よりも上流側の部分は、温度検知部よりも高さが低くなっているか、または、温度検知部よりも幅が狭くなっているので、収容槽内へ向かう空気の一部が温度検知部に当たる。
【００５３】
したがって、上記温度検知部によって収容槽内へ向かう空気の温度を正確に検出することができる。すなわち、上記温度検知部の検知が不正確になるのを防ぐことができる。
【００５４】
本発明の洗濯乾燥機によれば、上記異物堆積防止部の少なくとも一部が温度検知部の上流側に設けられているので、回転槽内へ向かう空気の大部分は異物堆積防止部によって流れる方向が変わる。
【００５５】
したがって、上記回転槽内へ向かう空気の大部分が温度検知部に接触し難くなるので、その空気中の異物が温度検知部上に堆積するのを防ぐことができる。
【００５６】
また、上記異物堆積防止部において温度検知部よりも上流側の部分は、温度検知部よりも高さが低くなっているか、または、温度検知部よりも幅が狭くなっているので、回転槽内へ向かう空気の一部が温度検知部に当たる。
【００５７】
したがって、上記温度検知部によって回転槽内へ向かう空気の温度を正確に検出することができる。すなわち、上記温度検知部の検知が不正確になるのを防ぐことができる。
【発明を実施するための最良の形態】
【００５８】
以下、本発明の乾燥機および洗濯乾燥機を図示の実施の形態により詳細に説明する。
【００５９】
（第１実施形態）
図１は、本発明の第１実施形態のドラム式洗濯乾燥機を斜め上方から見た概略図である。
【００６０】
上記ドラム式洗濯乾燥機は外箱３を備えている。この外箱３の前面部の略中央には外箱開口部３３が設けられている。また、上記外箱３の前面にはドア４がヒンジ機構にて回動可能に取り付けられていて、このドア４が外箱開口部３３を開閉する。また、上記外箱３の前面上部には、操作キーや表示部を有する操作部５が設けられている。使用者が操作部５の操作キーを操作することにより、洗い工程、すすぎ工程、脱水工程および乾燥工程が順次行われたり、各工程が単独で行われたりする。
【００６１】
上記ドア４には、ドア４の開閉を検知するドアスイッチ（図示せず）が取り付けられている。このドアスイッチの出力信号に基づき、操作部５の表示部にエラーが表示されたり、警報がなったりするようになっている。
【００６２】
図２は、図１のII−II線から見た概略断面図である。
【００６３】
上記ドラム式洗濯乾燥機は、外箱３内に配置された有底筒形状の水槽７と、この水槽７内に回転自在に配置された有底円筒形状の回転ドラム９と、この回転ドラム９内へ供給する空気を加熱するヒータ２７と、このヒータ２７で加熱された空気を回転ドラム９内へ流す送風機３４と、ヒータ２７で加熱された空気を回転ドラム９内へ案内する送風ダクト２８と、この送風ダクト２８に設けられた略円柱形状の温度検知部１と、回転ドラム９を回転駆動する駆動機構１５と、水槽７の後部を弾性支持する２本の防振ダンパ８とを備えている。なお、上記回転ドラム９は回転槽の一例で、ヒータ２７は加熱部の一例で、送風機３４は送風部の一例で、送風ダクト２８は流路の一例である。
【００６４】
上記外箱３の天面の前部には制御回路２１が設置されている。この制御回路２１には、制御部と演算部からなるＣＰＵ（図示せず）が設けられており、予め洗濯や脱水のチャートやルールが記憶されている。また、制御回路２１は、後述する温度検知部１の検知結果に基づいて、洗濯物を乾燥させる乾燥運転を実行する。なお、上記制御回路２１は制御部の一例である。
【００６５】
また、上記外箱３の天面の後部には、水道の蛇口等に接続する接続口３５が設けられている。そして、上記外箱３の底部内には、水槽７内の洗濯水を機外へ排出するための排水弁１７が設けられている。
【００６６】
上記排水弁１７は、排水ダクト１８を介して水槽７の下部に接続されている。この排水ダクト１８の途中には、外箱３の前面下部より取り出し可能な糸屑フィルタ１９が設けられており、エアートラップ（図示せず）が糸屑フィルタ１９の上部に設けられている。また、上記エアートラップは、導圧パイプ（図示せず）を介して接続された水位センサ（図示せず）に接続されている。この水位センサが検出するエアートラップ内の圧力変化をに基づき、水槽７内の洗濯水の水位を検知できる。
【００６７】
また、上記排水弁１７には、排水ホース２３の一方の端部が接続されている。この排水ホース２３の他方の端部は外箱３外に出ている。
【００６８】
上記水槽７は、後部が前部より下がるように中心軸Ｌ１が水平面に対して傾斜している。また、水槽７の前面部には水槽開口部３２が設けられている。この水槽開口部３２の開口縁には、ゴムや軟質樹脂等の弾性体から成るパッキン１０が固着されている。これにより、ドア４を閉じると、ドア４がパッキン１０に密着するから、水槽７内の液体が水槽７外へ漏れ出るのを防げる。また、水槽７は、水槽開口部３２が外箱開口部３３に対向するように横向きに配置されている。
【００６９】
上記中心軸Ｌ１は、回転ドラム９の回転軸Ｌ２に垂直な面で水槽７を切った断面における重心位置Ｐ１（図３参照）を通っている。また、中心軸Ｌ１は回転ドラム９の回転軸Ｌ２に対して略平行になっている。より詳しくは、上記水槽７の中心軸Ｌ１は水平方向に対して５°〜３０°の角度を成すように傾斜している。なお、回転ドラム９の回転軸Ｌ２は、回転ドラム９の回転軸に垂直な面で回転ドラム９を切った断面における重心位置Ｐ２（図３参照）を通っている。
【００７０】
また、上記水槽７内には洗濯水が溜まる。この水槽７内へ洗濯水を溜める場合、洗濯用給水弁１２を開く。すると、接続口３５からの例えば水道水が洗剤ケース１３内の洗剤または柔軟剤を含んで洗濯水となり、給水口１４から回転ドラム９内に流入する。
【００７１】
上記回転ドラム９は、回転軸Ｌ２が水槽７の中心軸Ｌ１に対して外箱３の天面側に偏心するように配置されている。また、回転ドラム９の前面部には、外箱開口部３３および水槽開口部３２に対向するドラム開口部２２が設けられている。このドラム開口部２２は水槽開口部３２よりも大きな径を有している。そして、回転ドラム９の周壁全域には複数の小孔２０が設けられている。この小孔２０は、水槽７と回転ドラム９との間の空間と、回転ドラム９内の空間との間で洗濯水や乾燥空気等を流通させるためのものである。
【００７２】
また、上記回転ドラム９の内壁面には、半径方向内側に向かって突出するバッフル１６を設けている。このバッフル１６は、周方向に例えば１２０°間隔で３ヶ所に配置されている。バッフル１６は回転ドラム９の回転に伴って、洗濯物の持上げと落下とを繰り返す働きをする。
【００７３】
また、上記回転ドラム９の前部には液体バランサ１１が取り付けられている。この液体バランサ１１は、回転ドラム９のドラム開口部２２を外側から取り囲み、回転ドラム９の回転時に、洗濯物および洗濯水等の偏りにより生じようとするアンバランスを、液体バランサ１１の内部における封入液体の移動によって打消す。
【００７４】
上記送風機３４は、ファンケース３０と、このファンケース３０内に収容された送風ファン２５（図３参照）と、この送風ファン２５を回転駆動するモータ２４とを有している。
【００７５】
上記送風ダクト３９は、水槽７の下部の内壁と回転ドラム９の下部の外壁との間に配置されている。この送風ダクト３９内には送風機３４が吹き出し空気が流入し、この空気は送風ダクト３９内を流れて吹出口２９から回転ドラム９内に向かって吹き出す。この吹出口２９は送風ダクト３９の前側の端部で構成されている。
【００７６】
上記防振ダンパ８は、洗い工程時、濯ぎ工程時および脱水工程時に発生する振動を吸収することができる。
【００７７】
図３は、上記水槽７を後方から見た概略図である。
【００７８】
上記水槽開口部３２の中心Ｃ１は、ドラム開口部２２の中心Ｃ２よりも外箱３の天面側にある。つまり、上記水槽開口部３２は、ドラム開口部２２に対して外箱３の天面側に偏心している。
【００７９】
また、上記水槽７の下部は、下方に向かって突出する凸形状となっている。この凸形状の下部と重なるように送風機３４が配置されている。また、上記凸形状の下部内には、除湿器２６とヒータ２７とが互いに隣り合うように配置されている。
【００８０】
上記除湿器２６は送風機３４の上流側に位置する。一方、ヒータ２７は送風機３４の下流側に位置する。つまり、送風機３４は、除湿器２６の下流側、かつ、ヒータ２７の上流側に位置している。
【００８１】
上記送風機３４の送風ファン２５は、ファンケース３０にて覆われ、洗濯水に浸かる領域に配置されている。また、ファンケース３０内の空間は、送風ダクト２８内の空間と連通すると共に、吸込口３１を介して水槽７内の空間と連通している。これにより、送風機３４が駆動すると、除湿器２６で除湿された空気は、吸込口３１からファンケース３０内に吸い込まれ、図中矢印方向に吹き出されて、ヒータ２７で加熱された後、吹出口２９から回転ドラム９内に向かって吹き出す。
【００８２】
図４は、図２のIV−IV線から見た概略断面図である。
【００８３】
上記温度検知部１には異物堆積防止部２が取り付けられている。この異物堆積防止部２は温度検知部１に対して着脱可能となっている。また、異物堆積防止部２は、温度検知部１から上流側にいくにしたがって幅が狭くなっている。そして、温度検知部１および異物堆積防止部２は、洗濯水に浸かる領域に配置されている。
【００８４】
図５は、上記温度検知部１から取り外した状態の異物堆積防止部２の概略平面図である。また、図６は、上記温度検知部１に取り付けた状態の異物堆積防止部２の概略平面図である。
【００８５】
上記異物堆積防止部２は、図５に示すように、１枚のステンレス板を折り曲げ加工して形成されている。そして、異物堆積防止部２は、突出部２ａとＣ型リング形状部２ｂと爪部２ｃとを夫々２つ有している。
【００８６】
上記突出部２ａは温度検知部１の上流側に位置している。また、突出部２ａの先端部（上流側の端部）にはアール加工が施されている。
【００８７】
上記Ｃ型リング形状部２ｂは、外力を加えることにより、図６に示すような状態になる。つまり、上記外力によって、Ｃ型リング形状２ｂ同士間の距離を広げることができる。また、上記外力を取り除けば、Ｃ型リング形状２ｂは図５の状態に復帰する。
【００８８】
また、上記異物堆積防止部２は、温度検知部１に取り付けると、図６に示すように、２つのＣ型リング形状２ｂが温度検知部１を挟む状態となる。このとき、各爪部２ｃが温度検知部１に噛み込むような形で係合する。これにより、異物堆積防止部２が脱水等の振動を受けても、温度検知部１から外れ難くなっている。
【００８９】
図７は、図６のVII−VII線から見た概略断面図である。
【００９０】
上記温度検知部１は送風ダクト２８の内壁面から内部側に向かって突出している。この突出高さは異物堆積防止部２の高さよりも高くなっている。つまり、送風ダクト２８の内壁面に対する温度検知部１の高さは、送風ダクト２８の内壁面に対する異物堆積防止部２の突出部２ａの高さよりも高くなっている。
【００９１】
以下、図２を用いて、上記ドラム式洗濯乾燥機の洗濯動作について説明する。
【００９２】
上記ドラム開口部２２から、回転ドラム９内へ洗濯物を投入し、ドア４を閉じると、ドア４の周縁にドアパッキン１０が密着（図２の状態）し、水槽７が封止される。そして、洗剤ケース１３へ洗剤を入れ、使用者が操作部５を操作すると、制御回路２１からの指令により、洗濯動作が開始される。
【００９３】
上記洗濯動作では、まず、洗い工程の給水動作が開始されて、ドア４がロックされると共に、給水弁１２が開かれる。給水弁１２が開くことにより、水道水は接続ホース（図示せず）から、洗剤ケース１３へ入り、洗剤と共に給水口１４を経由し、水槽７及び、回転ドラム９内へ流れ込む。そして、水槽７内の水位が所定水位に達すると、水位センサ（図示せず）が検知し、給水弁１２が閉じられる。次に、上記駆動機構１５が回転ドラム９を回転駆動する。この際、駆動機構１５は、制御回路２１内のＣＰＵに予め記憶されたチャートやルールにしたがって、所定時間だけ回転ドラム９を回転駆動する。なお、上記ＣＰＵに予め記憶されたチャートは、洗い工程・濯ぎ工程・脱水工程・乾燥工程の種別、または、洗濯物の種類や量に応じて、回転速度や反転時間・反転周期等が設定されている。これらのチャートは、使用者が任意に選択できるように、あるいは、自動的に選択されるようにプログラムされている。
【００９４】
上記洗い工程が終了すると、濯ぎ脱水動作と攪拌濯ぎ動作とを交互に複数繰り返すことからなる濯ぎ工程に移る。この濯ぎ工程では、まず、排水弁１７が開かれ、水槽７内の洗濯水が、排水ダクト１８、排水ホース２３を介して、外箱３の外部へ排出される。これが終了すると、回転ドラム９が脱水チャートにしたがって回転することによって、濯ぎ脱水動作が行われる。これにより、洗濯物に含まれていた洗濯水は、脱水回転による遠心力で、回転ドラム９の全周壁に設けられた小孔２０を通って水槽７の内壁へと吐出される。そして、上記洗濯水は水槽７の内壁を伝って、水槽７内の下部に流下した洗濯水は、排水ダクト１８・排水ホース２３を介して外部に排出される。上記脱水チャートは、回転ドラム９の回転が途中で止めたり、回転ドラム９の回転速度が途中で変わったりするように設定されており、洗剤を多く含んだ洗濯水の脱水に適したチャートとなっている。また、上記濯ぎ脱水動作が終了すると、給水動作が行われる。すなわち、排水弁１７が閉じられ、給水弁１２が開く。そして、水槽７内の水位が所定水位に達すると、給水弁１２が閉じられる。その後、駆動機構１５が回転ドラム９を濯ぎチャートにしたがって回転駆動させ始め、攪拌濯ぎ動作が実行される。
【００９５】
このような濯ぎ脱水動作と攪拌濯ぎ動作とが複数回繰り返されて濯ぎ工程が終了すると、脱水工程に移る。この脱水工程では、まず、給水弁１２が閉じられる。そして、排水弁１７が開かれ、水槽７内の洗濯水を外部へ排出する排水動作が行われる。引き続いて、回転ドラム９を脱水チャートで回転させることによって、仕上げ脱水動作が行われる。仕上げ脱水動作では、洗濯水は、脱水回転による遠心力で、回転ドラム９の全周壁に設けられた小孔２０を通じて、水槽７の内壁へ吐出される。こうして吐出された洗濯水は、水槽７の内壁を伝って水槽７内の下部に流下し、排水ダクト１８、排水ホース２３を介して、外箱３の外部へ排出される。
【００９６】
上記脱水工程では、回転ドラム９の回転速度が低速から高速まで、広範囲に渡って変動するので、回転ドラム９内の洗濯物のアンバランス検知は、この脱水工程の低速回転での運転状態を利用して行う。また、回転ドラム９を洗濯物が周壁内面に張り付く程度の低速回転で回転させながら、回転ドラム９の偏芯荷重の大きさである偏芯量を検知するアンバランス検知を行い、アンバランス量が判定値以下ならば、回転ドラム９をそのまま高速回転に移行する。また、回転ドラム９のアンバランス検知時にアンバランスと判断された場合には、回転ドラム９の回転を停止させ、再度、脱水工程の先頭に戻り、アンバランス検知を行う。また、脱水工程中に異常振動を検知した場合も、上記アンバランス検知時と同じく、回転ドラム９の回転を停止させ、再度脱水工程の先頭へ戻り、アンバランス検知を行う。
【００９７】
上記脱水工程が終了すると、乾燥工程に移行する。この乾燥工程では、駆動機構１５が回転ドラム９を乾燥チャートにしたがって回転駆動する。そして、上記乾燥工程へ入ると、モータ２４が送風ファン２５を回転駆動する。これと共に、図示しない給水装置から除湿器２６に水を供給する。これらの動作により、回転ドラム９内の空気は、小孔２０から回転ドラム９外に出た後、除湿器２６、吸込口３１、送風ファン２５、ヒータ２７及び送風ダクト２８を順に通って、吹出口２９から回転ドラム９内に戻される。このように、上記空気を循環させることよって、ヒータ２７で加熱されて高温となった空気が回転ドラム９内に供給されることになるので、回転ドラム９内の洗濯物は高温の空気により徐々に乾燥させられる。さらに、上記乾燥工程中、洗濯物から蒸発した水分は回転ドラム９内から出る空気に含まれるが、この空気中の水分は、除湿器２６を通る際に、除湿器２６と、除湿器２６に供給された水とで冷却されて凝縮する。その結果、上記空気は除湿されて湿度の低い空気となる。この湿度の低い空気は、吸込口３１、送風ファン２５、ヒータ２７及び送風ダクト２８を順に通って、吹出口２９から回転ドラム９内に戻される。このような空気の循環が繰り返されることにより、乾燥工程が実行される。この乾燥工程中、吹出口２９から回転ドラム９内へ吹き出す空気の温度は温度検知部１によって検知することができる。この温度検知部１の出力に基づき、制御回路２１はヒータ２７の出力を調整する。また、回転ドラム９内の湿度を湿度センサ（図示せず）で検知できると共に、回転ドラム９内の温度を温度センサ（図示せず）で検知できる。この湿度センサおよび温度センサの出力が所定値になれば、乾燥工程が終了する。この乾燥工程において、除湿器２６で凝縮した水分は、排水ダクト１８、排水弁１７及び排水ホース２３を介して外部に排出される。
【００９８】
以上のように、操作部５からの入力に基いて、制御回路２１が設定された条件にしたがって洗い工程・濯ぎ工程・脱水工程・乾燥工程が連続または単独で実行される。
【００９９】
上記乾燥工程中においては、糸屑等の異物を含む空気が送風ダクト２８内を流れるが、異物堆積防止部２の突出部２ａが温度検知部１の上流側に位置しているので、異物を含む空気の大部分は異物堆積防止部２の突出部２ａによって流れる方向が変わる。
【０１００】
したがって、上記異物を含む空気の大部分は温度検知部１に正面衝突せず、その空気中の異物が温度検知部１上に堆積するのを防ぐことができる。
【０１０１】
また、上記異物堆積防止部２の突出部２ａの高さは温度検知部１より低いので、回転ドラム９内へ向かう空気の一部が温度検知部１に接触する。
【０１０２】
したがって、上記温度検知部１によって回転ドラム９内へ向かう空気の温度を正確に検出することができる。すなわち、上記温度検知部１の検知が不正確になるのを防ぐことができる。
【０１０３】
また、上記異物堆積防止部２は温度検知部１に接触しているので、回転ドラム９内へ向かう空気の温度は異物堆積防止部２を介して温度検知部１に伝わる。
【０１０４】
したがって、上記温度検知部１によって回転ドラム９内へ向かう空気の温度をより正確に検出することができる。
【０１０５】
また、上記異物堆積防止部２はステンレス板で構成されているので、回転ドラム９内へ向かう空気の熱を効率良く温度検知部１に伝えることができる。
【０１０６】
また、上記異物堆積防止部２は洗濯水に浸かる領域に配置されているが、防錆性を有するステンレス板で異物堆積防止部２を形成しているから、異物堆積防止部２が錆びるのを防ぐことができる。
【０１０７】
また、上記異物堆積防止部２は温度検知部１に対して着脱可能であるので、温度検知部１から取り外すことにより、異物堆積防止部２のメンテナンスまたは交換を容易に行うことができる。
【０１０８】
また、上記温度検知部１に取り付けている状態の異物堆積防止部２では、異物堆積防止部２において温度検知部１よりも上流側の部分は、温度検知部１から上流側にいくにしたがって幅が狭くなっているので、送風ダクト２８内の空気の流れが異物堆積防止部２で乱れるのを防ぐことができる。
【０１０９】
また、上記突出部２ａの上流側の端部にアールが付いていることによって、送風ダクト２８内を流れる空気中の異物が異物堆積防止部２の上流側の端部に引っ掛かり難いので、異物堆積防止部２上に異物が堆積するのを抑制することができる。
【０１１０】
また、仮に、上記温度検知部１および異物堆積防止部２上に異物が付着しても、温度検知部１および異物堆積防止部２を、水槽７内の洗濯水に浸かるように配置しているので、洗濯工程および濯ぎ工程時、温度検知部１および異物堆積防止部２に付着した異物を洗濯水で洗い流すことができる。
【０１１１】
したがって、上記温度検知部１および異物堆積防止部２に細かな綿ゴミが付着するのを防止することができ、常時、温度検知部１および異物堆積防止部２を綿ゴミのない状態に維持することができる。
【０１１２】
また、仮に、上記温度検知部１および異物堆積防止部２に異物が付着した場合、送風機３４をＯＮにする。すると、上記送風ファン２５が回転して、ファンケース３０内の洗濯水が送風ダクト２８を通じて吹出口２９から回転ドラム９内へ押し出される。これにより、上記温度検知部１および異物堆積防止部２から異物を洗濯水で洗い流すことができる。
【０１１３】
また、上記温度検知部１および異物堆積防止部２から異物を洗濯水で洗い流す場合、制御回路２１は、送風ファン２５が正回転と逆回転とを交互に繰り返すように、送風機３４を制御する。これにより、上記異物堆積防止部２上の異物に対して、吹出口２９側へ押し出す力と、ヒータ２７側に引き戻す力とが交互にかかるので、温度検知部１および異物堆積防止部２から異物を除去する効果を高めることができる。
【０１１４】
したがって、仮に、上記温度検知部１および異物堆積防止部２に強固に付着した異物があっても、その異物を洗濯水で洗い流すことができる。
【０１１５】
なお、上記送風機３４のＯＮ／ＯＦＦ制御プログラムは制御回路２１内のＣＰＵ（図示せず）に予め記憶されており、このＯＮ／ＯＦＦ制御プログラムに基づいて、送風機３４の制御が行われる。
【０１１６】
上記第１実施形態では、異物堆積防止部２をステンレス板を折り曲げ加工して形成したが、異物堆積防止部２を他の金属板を折り曲げ加工して形成してもよい。この金属板は防錆性を有しているのが好ましい。
【０１１７】
上記第１実施形態では、温度検知部１および異物堆積防止部２から異物を洗濯水で洗い流すための水流を起こす送風機３４をドラム式洗濯乾燥機に設置していたが、送風機３４とは別に、温度検知部１および異物堆積防止部２から異物を洗濯水で洗い流すための水流を起こす水流発生部をドラム式洗濯乾燥機に設置してもよい。
【０１１８】
上記実施の形態では、温度検知部１および異物堆積防止部２をヒータ２７の下流側に設けていたが、
温度検知部１および異物堆積防止部２をヒータ２７の下流側に設けると共に、温度検知部１および異物堆積防止部２と同様のものをヒータ２７の上流側に設けてもよい。
【０１１９】
（第２実施形態）
図８は、本発明の第２実施形態のドラム式洗濯乾燥機の温度検知部１および異物堆積防止部４２の概略平面図である。また、図９は、図８のIX−IX線から見た概略断面図である。そして、図８，図９において、図６，図７に示した第１実施形態の構成部と同一構成部は、図６，図７における構成部と同一参照番号を付して説明を省略する。
【０１２０】
上記ドラム式洗濯乾燥機は、１本の異物堆積防止部４２を有する送風ダクト２２８を備えている点のみが、上記第１実施形態とは異なる。
【０１２１】
上記異物堆積防止部４２は、図８，図９に示すように、温度検知部１の上流側に位置するように送風ダクト２２８に一体に設けられている。そして、温度検知部１および異物堆積防止部４２は、水槽７内の洗濯水に浸かる領域に配置されている。また、異物堆積防止部４２は、略円柱形状を呈し、送風ダクト２２８の内壁面から内部側に向かって突出している。そして、異物堆積防止部２の中心軸は温度検知部１の中心軸と略平行となっている。また、異物堆積防止部４２の外径は温度検知部１の外径よりも小さくなっている。つまり、異物堆積防止部４２の幅は温度検知部１の幅よりも小さくなっている。
【０１２２】
上記送風ダクト２２８は、乾燥工程時、ヒータ２７（図２参照）で加熱された空気を回転ドラム９内に案内する。この送風ダクト２２８の一部が異物堆積防止部４２となっている。
【０１２３】
上記構成のドラム式洗濯乾燥機によれば、乾燥工程中においては、糸屑等の異物を含む空気が送風ダクト２２８内を流れるが、異物堆積防止部４２が温度検知部１の上流側に位置しているので、異物を含む空気の大部分は異物堆積防止部４２によって流れる方向が変わる。
【０１２４】
したがって、上記異物を含む空気の大部分は温度検知部１に正面衝突せず、その空気中の異物が温度検知部１上に堆積するのを防ぐことができる。
【０１２５】
また、上記異物堆積防止部４２の外径は温度検知部１の外径よりも小さくなっているので、回転ドラム９内へ向かう空気の一部が温度検知部１に接触する。
【０１２６】
したがって、上記温度検知部１によって回転ドラム９内へ向かう空気の温度を正確に検出することができる。すなわち、上記温度検知部１の検知が不正確になるのを防ぐことができる。
【０１２７】
また、上記異物堆積防止部４２が送風ダクト２２８の一部からなっているので、送風ダクト２２８に対する異物堆積防止部４２の取付作業は不要であり、また、長年使用しても、温度検知部１に対する異物堆積防止部４２の位置がずれたり、外れたりするといった不具合の発生を防ぐことができる。
【０１２８】
また、上記異物堆積防止部４２の形状が略円柱形状であることによって、送風ダクト２２８内を流れる空気中の異物が異物堆積防止部４２に引っ掛かり難いので、異物堆積防止部４２上に異物が堆積するのを抑制することができる。
【０１２９】
また、仮に、上記温度検知部１および異物堆積防止部４２上に異物が付着しても、温度検知部１および異物堆積防止部４２を、水槽７内の洗濯水に浸かるように配置しているので、洗濯工程および濯ぎ工程時、温度検知部１および異物堆積防止部４２に付着した異物を洗濯水で洗い流すことができる。
【０１３０】
したがって、上記温度検知部１および異物堆積防止部４２に細かな綿ゴミが付着するのを防止することができ、常時、温度検知部１および異物堆積防止部４２を綿ゴミのない状態に維持することができる。
【０１３１】
上記第２実施形態では、略円柱形状の異物堆積防止部４２を用いていたが、略角柱形状の異物堆積防止部を用いてもよい。
【０１３２】
（第３実施形態）
図１０は、本発明の第３実施形態のドラム式洗濯乾燥機の温度検知部１および異物堆積防止部５２の概略平面図である。また、図１１は、図１０のXI−XI線から見た概略断面図である。そして、図１０，図１１において、図６，図７に示した第１実施形態の構成部と同一構成部は、図６，図７における構成部と同一参照番号を付して説明を省略する。
【０１３３】
上記ドラム式洗濯乾燥機は、同形状の３本の異物堆積防止部５２を有する送風ダクト３２８を備えている点のみが、上記第１実施形態とは異なる。
【０１３４】
上記異物堆積防止部５２は、図１０，図１１に示すように、送風ダクト３２８に一体に設けられ、温度検知部１の上流側に位置している。そして、温度検知部１および３本の異物堆積防止部５２は、水槽７内の洗濯水に浸かる領域に配置されている。また、各異物堆積防止部５２は、略円柱形状を呈し、送風ダクト３２８の内壁面から内部側に向かって突出している。そして、各異物堆積防止部２の中心軸は温度検知部１の中心軸と略平行となっている。また、各異物堆積防止部５２の外径は温度検知部１の外径よりも小さくなっている。つまり、各異物堆積防止部５２の幅は温度検知部１の幅よりも小さくなっている。
【０１３５】
また、上記３本の異物堆積防止部５２を上流側から見ると、１本の異物堆積防止部５２が他の２本の異物堆積防止部５２の間に位置しているように見える。この他の２本の異物堆積防止部５２は、上記１本の異物堆積防止部５２の中心軸と上記他の２本の異物堆積防止部５２の中心軸とを含む面に関して、互いに対称な位置に設けられている。そして、上記面と、他の２本の異物堆積防止部５２のそれぞれの中心軸との距離は、上記１本の異物堆積防止部５２の直径と略等しくなっている。
【０１３６】
上記送風ダクト３２８は、乾燥工程時、ヒータ２７（図２参照）で加熱された空気を回転ドラム９内に案内する。この送風ダクト３２８の一部から異物堆積防止部５２がなっている。
【０１３７】
上記構成のドラム式洗濯乾燥機によれば、乾燥工程中においては、糸屑等の異物を含む空気が送風ダクト３２８内を流れるが、異物堆積防止部５２が温度検知部１の上流側に位置しているので、異物を含む空気の大部分は異物堆積防止部５２によって流れる方向が変わる。
【０１３８】
したがって、上記異物を含む空気の大部分は温度検知部１に正面衝突せず、その空気中の異物が温度検知部１上に堆積するのを防ぐことができる。
【０１３９】
また、上記異物堆積防止部５２の本数が３本なので、異物を含む空気の大部分を温度検知部１に確実に正面衝突させないようにすることができる。
【０１４０】
また、上記各異物堆積防止部５２の外径は温度検知部１の外径よりも小さくなっているので、回転ドラム９内へ向かう空気の一部が異物堆積防止部５２同士間を通って温度検知部１に接触する。
【０１４１】
したがって、上記温度検知部１によって回転ドラム９内へ向かう空気の温度を正確に検出することができる。すなわち、上記温度検知部１の検知が不正確になるのを防ぐことができる。
【０１４２】
また、上記異物堆積防止部５２が送風ダクト３２８の一部からなっているので、送風ダクト３２８に対する異物堆積防止部５２の取付作業は不要であり、また、長年使用しても、温度検知部１に対する異物堆積防止部５２の位置がずれたり、外れたりするといった不具合の発生を防ぐことができる。
【０１４３】
また、上記異物堆積防止部５２の形状が略円柱形状であることによって、送風ダクト３２８内を流れる空気中の異物が異物堆積防止部５２に引っ掛かり難いので、異物堆積防止部５２上に異物が堆積するのを抑制することができる。
【０１４４】
また、仮に、上記温度検知部１および異物堆積防止部５２上に異物が付着しても、温度検知部１および異物堆積防止部５２を、水槽７内の洗濯水に浸かるように配置しているので、洗濯工程および濯ぎ工程時、温度検知部１および異物堆積防止部５２に付着した異物を洗濯水で洗い流すことができる。
【０１４５】
したがって、上記温度検知部１および異物堆積防止部５２に細かな綿ゴミが付着するのを防止することができ、常時、温度検知部１および異物堆積防止部５２を綿ゴミのない状態に維持することができる。
【０１４６】
上記第３実施形態では、略円柱形状の異物堆積防止部５２を３本用いていたが、略角柱形状の異物堆積防止部を３本用いてもよい。
【０１４７】
上記第３実施形態では、略円柱形状の異物堆積防止部５２の本数は、３本であったが、２本にしてもよいし、４本以上にしてもよい。
【０１４８】
上記第３実施形態において、異物堆積防止部５２同士の位置関係は、図１０の位置関係であったが、異物を含む空気の大部分が温度検知部１に正面衝突しないようになるのであれば、図１０以外の位置関係にしてもよい。
【０１４９】
（第４実施形態）
図１２は、本発明の第４実施形態のドラム式洗濯乾燥機の温度検知部１および異物堆積防止部６２の概略平面図である。また、図１３は、図１２のXIII−XIII線から見た概略断面図である。そして、図１２，図１３において、図６，図７に示した第１実施形態の構成部と同一構成部は、図６，図７における構成部と同一参照番号を付して説明を省略する。
【０１５０】
上記ドラム式洗濯乾燥機は、１つの異物堆積防止部６２を有する送風ダクト４２８を備えている点のみが、上記第１実施形態とは異なる。
【０１５１】
上記異物堆積防止部６２は、図１２，図１３に示すように、温度検知部１の上流側に位置するように送風ダクト４２８に一体に設けられている。そして、温度検知部１および異物堆積防止部６２は、水槽７内の洗濯水に浸かる領域に配置されている。また、異物堆積防止部６２の下流側の端部は、温度検知部１の外周面に沿うよう形成されて、その外周面に隙間無く密着している。一方、異物堆積防止部６２の上流側の端面は平面視で円弧形状となっている。このような異物堆積防止部５２が送風ダクト４２８の内壁面から内部側に向かって突出している。そして、異物堆積防止部６２の突出方向は温度検知部１の中心軸と略平行となっている。また、異物堆積防止部６２の図１２中上下方向の幅は温度検知部１の外径よりも小さくなっている。
【０１５２】
上記送風ダクト４２８は、乾燥工程時、ヒータ２７（図２参照）で加熱された空気を回転ドラム９内に案内する。この送風ダクト４２８の一部から異物堆積防止部６２がなっている。
【０１５３】
上記構成のドラム式洗濯乾燥機によれば、乾燥工程中においては、糸屑等の異物を含む空気が送風ダクト４２８内を流れるが、異物堆積防止部６２が温度検知部１の上流側に位置しているので、異物を含む空気の大部分は異物堆積防止部６２によって流れる方向が変わる。
【０１５４】
したがって、上記異物を含む空気の大部分は温度検知部１に正面衝突せず、その空気中の異物が温度検知部１上に堆積するのを防ぐことができる。
【０１５５】
また、上記異物堆積防止部６２の図１２中上下方向の幅は温度検知部１の外径よりも小さくなっているので、回転ドラム９内へ向かう空気の一部が温度検知部１に接触する。
【０１５６】
したがって、上記温度検知部１によって回転ドラム９内へ向かう空気の温度を正確に検出することができる。すなわち、上記温度検知部１の検知が不正確になるのを防ぐことができる。
【０１５７】
また、上記異物堆積防止部６２が送風ダクト４２８の一部からなっているので、送風ダクト４２８に対する異物堆積防止部６２の取付作業は不要であり、また、長年使用しても、温度検知部１に対する異物堆積防止部６２の位置がずれたり、外れたりするといった不具合の発生を防ぐことができる。
【０１５８】
また、上記異物堆積防止部６２の上流側の端面が平面視で円弧形状となっていることによって、回転ドラム９内へ向かう空気中の異物が異物堆積防止部２の上流側の端部に引っ掛かり難いので、異物堆積防止部６２上に異物が堆積するのを抑制することができる。
【０１５９】
また、仮に、上記温度検知部１および異物堆積防止部６２上に異物が付着しても、温度検知部１および異物堆積防止部６２を、水槽７内の洗濯水に浸かるように配置しているので、洗濯工程および濯ぎ工程時、温度検知部１および異物堆積防止部６２に付着した異物を洗濯水で洗い流すことができる。
【０１６０】
したがって、上記温度検知部１および異物堆積防止部６２に細かな綿ゴミが付着するのを防止することができ、常時、温度検知部１および異物堆積防止部６２を綿ゴミのない状態に維持することができる。
【０１６１】
また、上記異物堆積防止部６２の下流側の端部は温度検知部１の外周面に隙間無く密着しているので、異物堆積防止部６２と温度検知部１との間に異物が入り込むのを防ぐことができる。
【０１６２】
上記第４実施形態では、異物堆積防止部６２の上流側の端面は、平面視で円弧形状であったが、平面視で円弧形状以外の形状、例えばＶ時形状にしてもよい。
【０１６３】
（第５実施形態）
図１４は、本発明の第５実施形態のドラム式洗濯乾燥機の温度検知部７１および異物堆積防止部７２の概略平面図である。また、図１５は、図１４のXV−XV線から見た概略断面図である。そして、図１４，図１５において、図６，図７に示した第１実施形態の構成部と同一構成部は、図６，図７における構成部と同一参照番号を付して説明を省略する。
【０１６４】
上記ドラム式洗濯乾燥機は、異物堆積防止部７２が一体に設けられた温度検知部７１を備えている点のみが、上記第１実施形態とは異なる。
【０１６５】
上記異物堆積防止部７２は、図１４，図１５に示すように、略円筒形状の温度検知部１の上流側に位置している。また、異物堆積防止部７２は、平面視で略三角形状となっており、上流側にいくにしたがって幅が狭くなる。そして、温度検知部７１および異物堆積防止部７２は、水槽７内の洗濯水に浸かる領域に配置されている。また、異物堆積防止部７２の下流側の端部における図１４中上下方向の幅は、温度検知部７１の外径よりも小さくなっている。
【０１６６】
上記構成のドラム式洗濯乾燥機によれば、乾燥工程中においては、糸屑等の異物を含む空気が送風ダクト２８内を流れるが、異物堆積防止部７２が温度検知部７１の上流側に位置しているので、異物を含む空気の大部分は異物堆積防止部７２によって流れる方向が変わる。
【０１６７】
したがって、上記異物を含む空気の大部分は温度検知部７１に正面衝突せず、その空気中の異物が温度検知部７１上に堆積するのを防ぐことができる。
【０１６８】
また、上記異物堆積防止部７２の下流側の端部における図１４中上下方向の幅は、温度検知部７１の外径よりも小さくなっているので、送風ダクト２８内の空気の一部が温度検知部７１に接触する。
【０１６９】
したがって、上記温度検知部７１によって回転ドラム９内へ向かう空気の温度を正確に検出することができる。すなわち、上記温度検知部７１の検知が不正確になるのを防ぐことができる。
【０１７０】
また、上記異物堆積防止部７２は上流側にいくにしたがって幅が狭くなっているので、送風ダクト２８内の空気の流れが異物堆積防止部２で乱れるのを防ぐことができる。
【０１７１】
また、上記異物堆積防止部７２が温度検知部７１と一体になっているので、長年使用しても、温度検知部７１に対する異物堆積防止部７２の位置がずれたり、外れたりするといった不具合の発生を防ぐことができる。
【０１７２】
また、上記異物堆積防止部７２が温度検知部７１と一体になっているので、温度検知部７１を送風ダクト２８に取り付ければ、異物堆積防止部７２の取付作業が終了する。したがって、上記異物堆積防止部７２の取付作業を省くことができる。
【０１７３】
また、仮に、上記温度検知部７１および異物堆積防止部７２上に異物が付着しても、温度検知部７１および異物堆積防止部７２を、水槽７内の洗濯水に浸かるように配置しているので、洗濯工程および濯ぎ工程時、温度検知部７１および異物堆積防止部７２に付着した異物を洗濯水で洗い流すことができる。
【０１７４】
したがって、上記温度検知部７１および異物堆積防止部７２に細かな綿ゴミが付着するのを防止することができ、常時、温度検知部７１および異物堆積防止部７２を綿ゴミのない状態に維持することができる。
【０１７５】
（第６実施形態）
図１６は、本発明の第６実施形態のドラム式洗濯乾燥機の温度検知部８１および異物堆積防止部８２の概略平面図である。また、図１７は、図１６のXVII−XVII線から見た概略断面図である。そして、図１６，図１７において、図６，図７に示した第１実施形態の構成部と同一構成部は、図６，図７における構成部と同一参照番号を付して説明を省略する。
【０１７６】
上記ドラム式洗濯乾燥機は、異物堆積防止部８２が一体に設けられた温度検知部８１と、この温度検知部８１が取り付けられた送風ダクト５２８とを備えている点のみが、上記第１実施形態とは異なる。
【０１７７】
上記異物堆積防止部８２は、図１６，図１７に示すように、略円筒形状の温度検知部１の上流側に位置している。また、異物堆積防止部８２の上流側の端面は平面視で円弧形状となっている。そして、温度検知部８１および異物堆積防止部８２は、水槽７内の洗濯水に浸かる領域に配置されている。また、異物堆積防止部８２の図１６中上下方向の幅は、温度検知部８１の外径よりも小さくなっている。
【０１７８】
上記構成のドラム式洗濯乾燥機によれば、乾燥工程中においては、糸屑等の異物を含む空気が送風ダクト５２８内を流れるが、異物堆積防止部８２が温度検知部８１の上流側に位置しているので、異物を含む空気の大部分は異物堆積防止部８２によって流れる方向が変わる。
【０１７９】
したがって、上記異物を含む空気の大部分は温度検知部８１に正面衝突せず、その空気中の異物が温度検知部８１上に堆積するのを防ぐことができる。
【０１８０】
また、上記異物堆積防止部８２の図１６中上下方向の幅は、温度検知部８１の外径よりも小さくなっているので、送風ダクト５２８内の空気の一部が温度検知部８１に接触する。
【０１８１】
したがって、上記温度検知部８１によって回転ドラム９内へ向かう空気の温度を正確に検出することができる。すなわち、上記温度検知部８１の検知が不正確になるのを防ぐことができる。
【０１８２】
また、上記異物堆積防止部８２の上流側の端面が平面視で円弧形状となっていることによって、回転ドラム９内へ向かう空気中の異物が異物堆積防止部２の上流側の端部に引っ掛かり難いので、異物堆積防止部８２上に異物が堆積するのを抑制することができる。
【０１８３】
また、上記異物堆積防止部８２が温度検知部８１と一体になっているので、長年使用しても、温度検知部８１に対する異物堆積防止部８２の位置がずれたり、外れたりするといった不具合の発生を防ぐことができる。
【０１８４】
また、上記異物堆積防止部８２が温度検知部８１と一体になっているので、温度検知部８１を送風ダクト５２８に取り付ければ、異物堆積防止部８２の取付作業が終了する。したがって、上記異物堆積防止部８２の取付作業を省くことができる。
【０１８５】
また、仮に、上記温度検知部８１および異物堆積防止部８２上に異物が付着しても、温度検知部８１および異物堆積防止部８２を、水槽７内の洗濯水に浸かるように配置しているので、洗濯工程および濯ぎ工程時、温度検知部８１および異物堆積防止部８２に付着した異物を洗濯水で洗い流すことができる。
【０１８６】
したがって、上記温度検知部８１および異物堆積防止部８２に細かな綿ゴミが付着するのを防止することができ、常時、温度検知部８１および異物堆積防止部８２を綿ゴミのない状態に維持することができる。
【０１８７】
本発明は、上記第１実施形態で説明したように、洗濯物を収容するドラムが傾斜し、ドラムの回転運動により洗い及び濯ぎを行う「ドラム式洗濯乾燥機」に適用でき、さらに、洗濯物を収容する回転槽と、この回転槽の底部に回転自在に設けられた攪拌体とを備えて、この攪拌体の回転により、洗濯及び濯ぎを行う「縦型洗濯乾燥機」にも適用できる。
【０１８８】
また、本発明は、例えば、洗濯機能を持たない図１８の乾燥機にも適用できる。この乾燥機は、外箱１０１、回転ドラム１０２、ヒータ１０３、送風機１０４およびサーミスタ１０５を備えている。また、図示しないが、上記乾燥機は、サーミスタ１０５の検知結果に基づいて、洗濯物を乾燥させる乾燥運転を実行する制御部を備えている。なお、上記洗濯物は被乾燥物の一例、回転ドラム１０２は収容槽の一例、ヒータ１０３は加熱部の一例、送風機１０４は送風部の一例、サーミスタ１０５は温度検知部の一例である。
【０１８９】
上記外箱１０１は複数の通気口１０６を後部に有している。この複数の通気口１０６から外箱１０１内の空気が機外に出たり、機外の空気が複数の通気口１０６から外箱１０１内に入ったりする。
【０１９０】
上記回転ドラム１０２は、外箱１０１の内部で水平軸（ドラムシャフト）１０７の回りに正・逆両方向に回転できるように支持されている。また、回転ドラム１０２は、ドラムベルト１０８を介してドラム駆動用モータ１０９の回転駆動力を受ける。つまり、ドラム駆動用モータ１０９が、ドラムベルト１０８を介して回転ドラム１０２を回転駆動する。
【０１９１】
上記ヒータ１０３は、送風ダクト１１０の一方の端部内に配置されている。この送風ダクト１１０の他方の端部は、外箱１０１内の後部に位置して開口しており、外箱１０１内の後部の空気が流入してヒータ１０３に向かって流れる。
【０１９２】
上記送風機１０４は、送風ファン１１１と、この送風ファン１１１をファンベルト１１２を介して回転ドラム１０２とは独立に回転駆動するファン駆動用モータ１１３とを有している。
【０１９３】
上記サーミスタ１０５は、ヒータ１０３の上流側に配置され、送風ダクト１１０の空気の温度を検知する。
【０１９４】
上記構成の乾燥機は、送風ファン１１１の回転により、空気は、図１８の黒矢印Ａで示すように、送風ダクト１１０を通って吹出口１１４から回転ドラム１０２内へ入り、糸屑フィルタ１１５および排気口１１６を経て送風ファン１１１に戻るという経路で循環する。このとき、吹出口１１４からはヒータ１０３で加熱された空気が吹き出し、この空気が回転ドラム１０２内の洗濯物を加熱し、その洗濯物の水分を蒸発させる。
【０１９５】
上記送風ファン１１１の後ろ側の面では、白矢印Ｂに示すように、外部から冷たい空気を取り入れることにより、黒矢印Ｃ方向に通過している温風を冷却して除湿を行う。温風の冷却により除湿されて生じた凝縮水は、送風ダクト１１０の下部に設けられたドレン口１１７から機外へ排出される。
【０１９６】
このような乾燥機においても、サーミスタ１０５に異物が付着する問題が生じる。そこで、上記第１〜第６実施形態で説明したような異物堆積防止部をサーミスタ１０５の上流側に設ければ、上記問題を解消できる。
【０１９７】
また、本発明は、洗濯物を乾燥させる乾燥機以外であっても、加熱した空気で被乾燥物を乾燥させる乾燥機であれば適用できる。
【図面の簡単な説明】
【０１９８】
【図１】図１は本発明の第１実施形態のドラム式洗濯乾燥機の概略斜視図である。
【図２】図２は図１のII−II線矢視の概略断面図である。
【図３】図３は上記第１実施形態のドラム式洗濯乾燥機の水槽の概略背面図である。
【図４】図４は図２のIV−IV線矢視の概略断面図である。
【図５】図５は上記第１実施形態の取り外した状態の異物堆積防止部の概略平面図である。
【図６】図６は上記第１実施形態の取り付けた状態の異物堆積防止部の概略平面図である。
【図７】図７は図６のVII−VII線矢視の概略断面図である。
【図８】図８は本発明の第２実施形態のドラム式洗濯乾燥機の温度検知部および異物堆積防止部の概略平面図である。
【図９】図９は図８のIX−IX線矢視の概略断面図である。
【図１０】図１０は本発明の第３実施形態のドラム式洗濯乾燥機の温度検知部および異物堆積防止部の概略平面図である。
【図１１】図１１は図１０のXI−XI線矢視の概略断面図である。
【図１２】図１２は本発明の第４実施形態のドラム式洗濯乾燥機の温度検知部および異物堆積防止部の概略平面図である。
【図１３】図１３は図１２のXIII−XIII線矢視の概略断面図である。
【図１４】図１４は本発明の第５実施形態のドラム式洗濯乾燥機の温度検知部および異物堆積防止部の概略平面図である。
【図１５】図１５は図１４のXV−XV線矢視の概略断面図である。
【図１６】図１６は本発明の第６実施形態のドラム式洗濯乾燥機の温度検知部および異物堆積防止部の概略平面図である。
【図１７】図１７は図１６のXVII−XVII線矢視の概略断面図である。
【図１８】図１８は本発明の一実施の形態の乾燥機の概略断面図である。
【符号の説明】
【０１９９】
１，７１，８１  温度検知部
２，４２，５２，６２，７２，８２  異物堆積防止部
３，１０１  外箱
４  ドア
５  操作部
７  水槽
８  防振ダンパ
９，１０２  回転ドラム
１０  ドアパッキン
１１  バランサ
１２  洗濯用給水弁
１３  洗剤ケース
１４  給水口
１５  駆動機構
１６  バッフル
１７  排水弁
１８  排水ダクト
１９  糸屑フィルタ
２０  小孔
２１  制御回路
２２  ドラム開口部
２３  排水ホース
２４  モータ
２５  送風ファン
２６  除湿器
２７，１０３  ヒータ
２８，１１０，２２８，３２８，４２８，５２８  送風ダクト
２９  吹出口
３４，１０４  送風機
１０５  サーミスタ
【図１】
0005048576.tif 000002
【図２】
0005048576.tif 000003
【図３】
0005048576.tif 000004
【図４】
0005048576.tif 000005
【図５】
0005048576.tif 000006
【図６】
0005048576.tif 000007
【図７】
0005048576.tif 000008
【図８】
0005048576.tif 000009
【図９】
0005048576.tif 000010
【図１０】
0005048576.tif 000011
【図１１】
0005048576.tif 000012
【図１２】
0005048576.tif 000013
【図１３】
0005048576.tif 000014
【図１４】
0005048576.tif 000015
【図１５】
0005048576.tif 000016
【図１６】
0005048576.tif 000017
【図１７】
0005048576.tif 000018
【図１８】
0005048576.tif 000019